(57)【要約】【課題】充電を行える時間や場所等の条件を柔軟に設定できるようにする。【解決手段】２次電池を有する携帯端末において充電制御を行う場合に、現在の時刻を計時し、現在位置を算出し、２次電池の電池残量を計測するようにした。そして、２次電池への充電動作の開始条件又は停止条件を設定するようにした。その上で、計時した現在の時刻と算出した現在位置との少なくともいずれか一方と、２次電池の電池残量値とが、設定した条件に一致した場合に、２次電池への充電を開始又は停止させるようにしたものである。【選択図】図４
2008118285.tif 000002
【特許請求の範囲】
【請求項１】
２次電池を有する携帯端末において、
現在の時刻を計時する時刻計時部と、
現在位置を判定する位置判定部と、
前記２次電池の電池残量値を測定し、前記２次電池への充電動作を制御する充電制御部と、
前記充電制御部での充電動作の開始条件又は停止条件を設定する操作部と、
前記時刻計時部の計時結果と前記位置判定部の判定結果との少なくとも何れか一方と、前記充電制御部が計測した前記２次電池の電池残量値とが、前記操作部で設定された条件に一致した場合に、前記充電制御部への充電動作を開始又は停止させる制御部とを備えたことを特徴とする
携帯端末。
【請求項２】
請求項１記載の携帯端末において、
前記充電制御部は、前記携帯端末の電源がオフ状態であり前記携帯端末の２次電池の充電残量が所定量の場合に、前記条件に一致しない状態でも前記２次電池の充電を行うことを特徴とする
携帯端末。
【請求項３】
請求項１記載の携帯端末において、
前記充電制御部での充電動作の開始条件又は停止条件は、時刻、位置、前記２次電池の電気残量値におけるそれぞれの設定条件を組み合わせて設定されることを特徴とする
携帯端末。
【請求項４】
２次電池を有する携帯端末における充電制御方法において、
現在の時刻を計時し、
現在位置を判定し、
前記２次電池への充電動作の開始条件又は停止条件を設定し、
前記計時した現在の時刻と前記判定した現在位置との少なくとも何れか一方と、前記２次電池の電池残量値とが、前記設定した条件に一致した場合に、前記２次電池への充電を開始又は停止させることを特徴とする
充電制御方法。
【発明の詳細な説明】
【技術分野】
【０００１】
本発明は、例えば２次電池を有する携帯電話端末に適用して好適な携帯端末及び充電制御方法に関する。
【背景技術】
【０００２】
従来、携帯電話端末等の携帯端末のバッテリーとしては、２次電池が使用されている。２次電池とは、充電が可能な電池であり、繰り返し使用することが可能である。携帯電話端末の２次電池の充電は、通常ＡＣ（Alternating Current）アダプタや充電スタンド、乾電池を用いた携帯型充電器等を用いて行われる。
【０００３】
携帯電話端末の２次電池の充電を行う場合、携帯電話端末とＡＣアダプタ等を接続させた時点から自動的に開始されるものであり、電池の残量や充電する時間帯などの条件は考慮されない。一方、電力会社との契約形態によっては、深夜以降の電気使用料金を昼間の時間帯に比べて安く設定できるものもあり、このような契約を結んでいるユーザは、深夜の時間帯にのみ携帯電話端末の充電を行うようにすれば、電気料金を節約することができる。このため、充電する時間を設定して、その時間帯にのみ充電を可能とさせる手法が提案されている。
【０００４】
特許文献１には、電気掃除機において、予め設定した時間帯が来た場合又は電池残量が所定の値以下である場合に、２次電池の充電を開始させることについての開示がある。
【特許文献１】特開２００３−１２５９９８号公報
【発明の開示】
【発明が解決しようとする課題】
【０００５】
ところで、携帯電話端末等の携帯端末は様々な場所で使用するものであるため、充電を必要とする場所やタイミングも様々なものとなる。このため、場所を考慮せず時間や電池残量のみを条件に充電の制御が行われると、ユーザの意図とは必ずしも一致しない充電制御が行われてしまう可能性がある。例えば、外出中に充電器を接続した場合でも、一定の条件で充電の制御が行われると、制限がかかって、ユーザが期待したようには充電が行えない場合もあり得る。
【０００６】
逆に、全く制限がない状態で、携帯端末への充電を許容させてしまうと、充電場所などの条件によっては、好ましくない充電が行われる可能性もある。
【０００７】
本発明はかかる点に鑑みてなされたものであり、充電を行える時間や場所等の条件を柔軟に設定できるようにすることを目的とする。
【課題を解決するための手段】
【０００８】
本発明は、２次電池を有する携帯端末において充電制御を行う場合に、現在の時刻を計時し、現在位置を算出し、２次電池の電池残量を計測するようにした。そして、２次電池への充電動作の開始条件又は停止条件を設定するようにした。その上で、計時した現在の時刻と判定した現在位置との少なくとも何れか一方と、２次電池の電池残量値とが、設定した条件に一致した場合に、２次電池への充電を開始又は停止させるようにしたものである。
【０００９】
このようにしたことで、充電を可能とする時間や場所、電池残量値の条件を予め設定可能となり、実際の充電も、設定した条件に基づいて行われるようになる。
【発明の効果】
【００１０】
本発明によると、充電を行える時間や場所等の条件を柔軟に設定できるようになる。
【発明を実施するための最良の形態】
【００１１】
以下、本発明の一実施の形態を、図１〜図４を参照して説明する。本実施の形態においては、ＧＰＳ（Global Positioning System）による現在位置判定機能を備えた携帯電話端末に適用したものである。
【００１２】
図１は、携帯電話端末１００の内部構成例を示すブロック図である。図１において、基地局と無線通信を行うアンテナ１２１を備え、このアンテナ１２１が通信処理部２１１に接続してある。通信処理部２１１は、無線電話用の基地局との間で、音声データなどを双方向に無線伝送するための送信処理及び受信処理を行う。
【００１３】
通信処理部２１１で受信した通話用音声データは、音声処理部１１２に供給される。音声処理部１１２では、音声復調などの処理を行い、得られたアナログ音声信号をスピーカ１２２に供給して出力させる。また、音声処理部１１２は、マイクロフォン１１３が拾って出力した音声信号に音声データ用の変調処理などを行い、得られた音声データを、通信処理部２１１に供給して送信処理し、アンテナ１２１から基地局に無線送信させる。
【００１４】
また本例の携帯電話端末１００は、ＧＰＳ衛星からの衛星信号を受信するＧＰＳアンテナ（図示略）を備え、ＧＰＳアンテナが受信した衛星信号から現在位置を算出するＧＰＳ演算処理部１１４を備える。ＧＰＳ演算処理部１１４は、現在位置判定部として機能する。また、アンテナ１２１が受信した電波から、時刻情報を取り出して現在時刻とする時刻計時部１１５も備えている。時刻計時部１１５は、内部でのカウント処理だけで、現在時刻を計時するようにしてもよい。
【００１５】
通信処理部２１１で、表示などを行う各種データ（メールデータ、ウェブ画像のデータなど）を受信した場合には、受信データを表示部１２３に表示させる。表示部１２３は、液晶パネル等で構成される。
【００１６】
無線通信や表示などの処理は、制御部２１０の制御で実行される。制御部２１０は、ＣＰＵ（Central Processing Unit）等で構成される中央処理装置である。制御部２１０には、メモリ部２１２が接続してあり、メモリ部２１２は、読み出し及び書き込みが可能なメモリ部と、読み出しのみ可能なメモリ部とで構成される。読み出し及び書き込みが可能なメモリ部には、電話帳のデータやメールデータ等の様々なデータを記憶させてあり、読み出しのみ可能なメモリ部には、制御に必要なプログラムコード等の各種プログラムや、携帯電話端末の端末ＩＤ等を記憶させてある。制御部２１０は、メモリ部２１２に記憶されたプログラムを読み出して、携帯電話端末１００の各部の制御を行う。メモリ部２１２には、充電を許可する時間帯や場所、充電残量等の設定値等も記憶させてある。これらの条件値の詳細については後述する。
【００１７】
携帯電話端末１００の動作は、操作部１１１に対するユーザの操作入力に基づいて行われる。携帯電話端末１００内の各部は、制御ライン２０２及びデータライン２０３を介して接続してある。制御ライン２０２では、制御部２１０から供給される制御信号等が伝送され、データライン２０３ではメールデータやＷｅｂデータ等のデータが伝送される。
【００１８】
また、本例の携帯電話端末１００は図示せぬ２次電池を備えており、２次電池への充電は、充電制御部２１３の制御に基づき行われる。充電制御部２１３での充電動作制御は、制御部２１０からの指示に基づいて行われるものであり、ＡＣアダプタ等の図示せぬ充電器に携帯電話端末１００が接続された状態で行われる。
【００１９】
充電制御部２１３での充電動作制御は、予め設定しておいた各種フラグのオン・オフ状態を判断して行うようにしてある。各種フラグとは、下記のようなフラグのことである。
電池残量_充電要求フラグ：電池残量が、例えば６０％等予め設定した値以下となった場合にオンとなる。
時間_充電要求フラグ：現在時刻が、予め設定した時間帯になったらオンとなる。２３：００〜７：００までの間に充電可能と設定してある場合には、時刻が２３：００〜７：００の間にある間はオンになる。
場所_充電要求フラグ：ＧＰＳ１１４により算出された現在位置と、予め設定しておいた場所情報（自宅等）の位置とを比較して、現在位置＝登録場所となった場合にオンとなる。
【００２０】
これらの条件は、それぞれを組み合わせて設定することも可能であり、ＡＮＤ条件、ＯＲ条件等もユーザ側で自由に設定可能であるものとする。設定された条件の成立可否の判定結果は、「充電フラグ」のオン・オフで判別可能としてある。つまり、設定された時間帯、場所、電池残量等の条件が満たされた場合にそれを制御部２１０が判断し、制御部２１０によって、充電フラグがオンとされる。
【００２１】
また、各条件を組み合わせて、下記のようなモードを設定することができるようにしてある。
自宅モード：時間帯＝２３：００〜７：００を満たす場合にのみ充電可（自宅に帰宅時に切り替えて利用するモード）
外出モード１：現在地≠自宅  であれば充電可
外出モード２：時間帯＝１２：００〜１３：００  ＯＲ  充電残量６０％以下  の場合充電可（外出モード１、２共に、外出時に切り替えて利用するモード）
自動モード：場所ごとにモードの自宅モードと、外出モード１又は２を自動的に切り替えるモード
【００２２】
これらの設定は、既存の携帯電話端末における時刻アラーム設定等のように、表示部１２３に表示されたＧＵＩ（Graphical User Interface）を介してユーザが自由に行えるようにしてある。このように構成することで、ユーザは、自分の好みに応じた充電制御を行うことができるようになる。
【００２３】
次に、本例における充電制御処理の例について、図２〜図４のフローチャートを参照して説明する。条件設定としては、現在地の場所に応じて自宅モードと外出モード２とが自動的に切り替わる「自動モード」が設定されており、現在時間は２３時３０分、現在地は自宅である場合を想定して説明する。
【００２４】
図２では、携帯電話端末１００が充電器に接続されてから、携帯電話端末１００に設定されたモードが読み出されるまでの処理例を示してある。図２において、まず携帯電話端末１００が充電器に接続されると（ステップＳ１１）、電源がオフ状態か否かが判断される（ステップＳ１２）。電源がオフされていると判断された場合には、次に携帯電話端末１００が満充電状態であるか否かの判断がされる（ステップＳ１３）。
【００２５】
電池が満充電でないと判断された場合には、充電制御部２１３（図１参照）によって充電動作が開始される（ステップＳ１４）。充電動作が開始された後は、充電が完了したか否かの判断がされ（ステップＳ１５）、充電が完了したと判断されるまでの間は、充電動作が行われる。充電が完了したと判断された場合には、ステップＳ１２へ戻る。ステップＳ１３で満充電でないと判断された場合も、ステップＳ１２へ戻る。なお、電源がオフ状態であっても充電残量を確認し、満充電でないと判断された場合には充電を開始させるようにした上述の処理は、２次電池が充電されないまま空になってしまうことを防ぐために行うものである。
【００２６】
ステップＳ１２で、電源がオフ状態でない、つまり電源がオンであると判断された場合には、携帯電話端末１００に設定されたフラグをまず初期化する。つまり、充電フラグをオフとし（ステップＳ１６）、次に各充電要求フラグをオフとする（ステップＳ１７）。各フラグが初期化された後は、現充電モードの条件値が、制御部２１０（図１参照）の制御に基づいてメモリ部２１２より読み出される（ステップＳ１８）。そしてＡに進む。この場合は、充電モードの条件値として、現在地が自宅の場合の充電可能時間帯（２３：００〜７：００）と、現在地が自宅以外である場合の充電可能時間帯（１２：００〜１３：００）又は充電可能な充電残量（６０％）が読み出される。
【００２７】
次に、図３を参照して、各充電モード設定値の判断処理例について説明する。図３において、まず携帯電話端末１００のＧＰＳ１１４によって、現在位置が計測され、現在地が登録された場所であるか否かの判断がされる（ステップＳ２１）。本例においては、予め登録した場所は自宅であり、現在地も自宅である場合を想定しているため、ステップＳ２１ではＹＥＳが選択され、「場所_充電要求フラグ」がオンとされる（ステップＳ２２）。ステップＳ２１で、現在地が登録された場所でないと判断された場合には、「場所_充電要求フラグ」がオフとなる（ステップＳ２３）。
【００２８】
次に、電池残量が設定したレベル以下であるか否かの判断がされる（ステップＳ２４）。自宅モードは、電池残量レベルを参照しない設定であるため、ここではＮＯが選択され、「電池残量_充電要求フラグ」がオフとされる（ステップＳ２６）。電池残量を参照する設定がされており、かつ測定された電池残量が設定のレベル以下であった場合には、「電池残量_充電要求フラグ」がオンとされる（ステップＳ２５）。
【００２９】
次に、現在の時刻が、充電許可の時間帯として予め設定してある時間帯であるか否かの判断がされる（ステップＳ２７）。本例においては、設定してある時間帯が２３：００〜７：００であり、現在時刻が２３時３０分である場合を想定しているため、ＹＥＳが選択され、「時間_充電要求フラグ」がオンとされる（ステップＳ２８）。充電許可の時間帯が設定されていない場合や、充電許可の時間帯が設定されていても現在時刻が設定時刻の時間帯でない場合には、「時間_充電要求フラグ」はオフとされる（ステップＳ２９）。
【００３０】
各充電フラグがオン又はオフとされた後は、充電フラグのオン・オフに基づいて、充電制御部２１３により充電動作が開始又は停止される。このときの処理例について、図４のフローチャートを参照して説明する。図３のフローチャートで説明したように、各フラグがオン又はオフとされると、それらの情報を元に、制御部２１０においてモード設定の条件式（各条件間の論理式）が成立しているか否かの判断がされる（ステップＳ３１）。本例においては「自動モード」が選択されており、「自動モード」においては、現在地が自宅でかつ現在時刻が２３：００〜７：００の間である場合に条件式が成立する。「場所_充電要求フラグ」がオンであり、「時間_充電要求フラグ」がオンであることから、モード設定条件式が成立していると判定されるため、ステップＳ３２へ進む。
【００３１】
ステップＳ３２では、携帯電話端末１００の電池が満充電であるか否かの判断がされる。満充電である場合には、充電は必要でないため「充電フラグ」はオフとされ（ステップＳ３３）、満充電でないと判断された場合には、「充電フラグ」はオンとされる（ステップＳ３４）。また、モード設定の条件式が不成立であった場合にも、「充電フラグ」はオフとされる（ステップＳ３５）。
【００３２】
次に、充電フラグがオンであるか否かの判断がされる（ステップＳ３６）。本例においては、充電フラグはオンであるためＹＥＳが選択され、充電制御部２１３により充電動作が開始される（ステップＳ３７）。充電動作が開始されると、充電が完了したかの判断が行われ（ステップＳ３８）、完了したと判断された場合にはＣへ移動する。充電が完了したと判断されるまでの間は、充電動作が継続される。
【００３３】
ステップＳ３６で、充電フラグがオンでない、つまりオフであると判断された場合には、充電制御部２１３により充電動作が停止される（ステップＳ３９）。そして、Ｃへ移動する。Ｃは、図２のフローチャートのステップＳ１６に接続されており、ステップＳ１６以降で、各フラグの初期化が行われる。
【００３４】
このように、充電を可能とする条件として、時間や場所、電池残量の値等を設定できるようにしてあるため、ユーザは、その利用形態に合わせた充電制御を行うことができるようになる。
【００３５】
この場合、電気料金が安く設定された深夜の時間帯にのみ充電を許可する設定としておけば、携帯電話端末１００を充電器にいつセットしようとも、設定した時間帯になるまでは充電が行われないため、電気料金を低減させることができるようになる。
【００３６】
また、場所によって充電を行う条件の設定を変えることができるため、自宅では深夜の時間帯にのみ充電を行わせる一方で、外出時には、時間帯や充電残量に関わらず必ず充電させるようにすることができる。つまり、充電可能な時間帯の設定は、自宅以外は無効であるため、自宅における充電時間制限設定を有効にさせた状態であっても、外出先で携帯電話端末を携帯型の充電器等に接続して充電することができるようになる。
【００３７】
この場合、自宅等の登録した場所以外では充電ができない設定、或いは充電可能な時間帯を制限する設定としておけば、会社の電源を使用して個人使用の携帯端末を充電する行為を防ぐことができる。
【００３８】
また、充電可能な条件を複数組み合わせて、モードとして登録することが可能であるため、ユーザが容易に条件組み合わせ設定を使い分けることができるようになる。
【００３９】
さらに、充電可能な時間帯を、電気料金の安価な深夜の時間帯に設定できるため、電気の使用時間帯が深夜の時間帯にシフトされる。電力消費のピーク時間帯に消費される電力が削減できれば、電力消費のピーク時間帯に生成された電気を深夜の時間帯で使用することが可能となれる。つまり、火力発電所で生成する電気の量を削減することが可能となり、火力発電所から排出されるＣＯ２量の削減にもつながる。
【００４０】
なお、ここまで説明した実施の形態では、携帯電話端末に適用した例を挙げて説明したが、２次電源を使用する携帯端末であれば、他の装置であっても適用可能である。
【００４１】
また、上述した実施の形態では、自宅モードと、外出モード１、外出モード２、自動モードの４モードを設定した例を挙げているが、モードの設定はこれに限られるものではなく、ユーザが自由に設定可能であるものとする。
【００４２】
また、上述した実施の形態では、ＧＰＳによる測位機能を搭載した携帯電話端末に適用した例としたが、ＧＰＳは用いずに、基地局から発信される電波を元に現在地を算出するようにしてもよい。
【図面の簡単な説明】
【００４３】
【図１】本発明の一実施の形態による携帯電話端末の内部構成例を示すブロック図である。
【図２】本発明の一実施の形態による携帯電話端末の充電制御処理例を示すフローチャートである。
【図３】本発明の一実施の形態による携帯電話端末の充電制御処理例を示すフローチャートである。
【図４】本発明の一実施の形態による携帯電話端末の充電制御処理例を示すフローチャートである。
【符号の説明】
【００４４】
１００…携帯電話端末、１１１…操作部、１１２…音声処理部、１１３…マイクロフォン、１１４…ＧＰＳ演算処理部、１１５…時刻計時部、１２１…アンテナ、１２２…スピーカ、１２３…表示部、２０２…制御ライン、２０３…データライン、２１０…制御部、２１１…通信処理部、２１２…メモリ部、２１３…充電制御部
【図１】
2008118285.tif 000003
【図２】
2008118285.tif 000004
【図３】
2008118285.tif 000005
【図４】
2008118285.tif 000006